(57)【特許請求の範囲】
【請求項１】
本体部材と、
前記本体部材の一辺側の上端側と下端側とにそれぞれ設けられる開閉軸を基準として開閉される扉部材と、
前記本体部材における前記一辺側とは反対側の他辺側と前記扉部材とを係止する係止部と、
上端側の前記開閉軸と下端側の前記開閉軸との間であって且つ前記両開閉軸の近傍箇所のそれぞれに配設され、前記扉部材を前記本体部材に対して閉じる際の当該扉部材の運動エネルギーを、弾性部材を弾性変形させることで吸収する緩衝手段と、
を備え、
前記緩衝手段は、コイル中心線方向に間隔を空けて且つ巻き方向を逆向きにして並べられた２個のねじりコイルばねと、前記２個のねじりコイルばねの両対向側に相当する第１部位と、前記２個のねじりコイルばねの両他端側に相当する第２部位とを備え、前記第１部位と前記第２部位のうちの少なくとも一方を連結させ、他方を連結あるいは近設させた連結ねじりコイルばねであり、
前記第１部位または前記第２部位の一方は、前記扉部材または前記本体部材の一方に固定され、
前記第１部位または前記第２部位の他方は、前記扉部材を閉じる際に前記扉部材または前記本体部材の他方に当接する
ことを特徴とする遊技機。
【請求項２】
請求項１に記載の遊技機において、
前記開閉軸は、前記扉部材および前記本体部材を側面視した状態において、その軸方向の下端側に比べて上端側が前記本体部材の方へ傾斜している
ことを特徴とする遊技機。
【発明の詳細な説明】
【技術分野】
【０００１】
この発明は、パチンコ機やスロットマシン等の遊技機に関する。
【背景技術】
【０００２】
従来、遊技機の代表例として例えばスロットマシンがある。このスロットマシンは、例えば、当該スロットマシンの外殻を形成し遊技場（ホール）の遊技島に固定される筐体と、この筐体の正面視での左端側を開閉軸として筐体に対して開閉可能に支持される前面扉とを備えている（例えば、特許文献１参照）。
【特許文献１】特開平１１−２００６８７号公報（第２頁，第１図）
【発明の開示】
【発明が解決しようとする課題】
【０００３】
しかしながら、従来のスロットマシンでは、例えば、前述の前面扉（扉部材）の開閉機構として抜き差し蝶番が用いられているが、前面扉の重量が増してきていることから、前面扉が閉まるときに生じる衝撃力が増しており、前面扉が閉まるときの衝撃力で前面扉または筐体（本体部材）が破損したりするあるいはそのおそれがある等の問題がある。また、その逆に前面扉を開く場合には、この前面扉が勢いよく開いて最大開放位置に至ることがあり、その際の勢いで前面扉や筐体が破損したりする等の問題もある。
【０００４】
また、前面扉は、例えばその裏面視で左端側（回転軸のある右端側とは反対側）で上下２箇所に間隔を空けて固定用爪が設けられている。前面扉を筐体に閉じる際に、前面扉の上下２箇所の固定用爪が筐体の所定箇所にそれぞれ係止されて、前面扉が筐体に対して閉じた状態となるのであるが、上下２箇所の固定用爪の一方がかかっていない状態（半係り状態）となっていることがあり、この半係り状態の遊技機に対して不正が行われる可能性があるという問題がある。また、この半係り状態では前面扉が一応閉じられているため、一見しただけではその半係り状態などの非係止状態が発見し難い。
【０００５】
本発明は、このような事情に鑑みてなされたものであって、扉部材を閉じる際の衝撃力によって扉部材や筐体が損傷することを低減でき、扉部材の非係止状態の発見が容易な遊技機を提供することを目的とする。
【課題を解決するための手段】
【０００６】
この発明は、このような目的を達成するために、次のような構成をとる。
すなわち、請求項１に記載の発明は、
本体部材と、
前記本体部材の一辺側の上端側と下端側とにそれぞれ設けられる開閉軸を基準として開閉される扉部材と、
前記本体部材における前記一辺側とは反対側の他辺側と前記扉部材とを係止する係止部と、
上端側の前記開閉軸と下端側の前記開閉軸との間であって且つ前記両開閉軸の近傍箇所のそれぞれに配設され、前記扉部材を前記本体部材に対して閉じる際の当該扉部材の運動エネルギーを、弾性部材を弾性変形させることで吸収する緩衝手段と、
を備え、
前記緩衝手段は、コイル中心線方向に間隔を空けて且つ巻き方向を逆向きにして並べられた２個のねじりコイルばねと、前記２個のねじりコイルばねの両対向側に相当する第１部位と、前記２個のねじりコイルばねの両他端側に相当する第２部位とを備え、前記第１部位と前記第２部位のうちの少なくとも一方を連結させ、他方を連結あるいは近設させた連結ねじりコイルばねであり、
前記第１部位または前記第２部位の一方は、前記扉部材または前記本体部材の一方に固定され、
前記第１部位または前記第２部位の他方は、前記扉部材を閉じる際に前記扉部材または前記本体部材の他方に当接する
ことを特徴とするものである。
【０００７】
また、請求項２に記載の発明は、
請求項１に記載の遊技機において、
前記開閉軸は、前記扉部材および前記本体部材を側面視した状態において、その軸方向の下端側に比べて上端側が前記本体部材の方へ傾斜している
ことを特徴とするものである。
【発明の効果】
【０００８】
この発明に係る遊技機によれば、扉部材を閉じる際の衝撃力によって扉部材や筐体が損傷することを低減でき、扉部材の非係止状態の発見が容易な遊技機を提供することができる。
【０００９】
【００１０】
【００１１】
【発明を実施するための最良の形態】
【００１２】
なお、本明細書は、次のような遊技機に係る発明も開示している。
【００１３】
（０）  本体部材と、前記本体部材に対して開閉される扉部材と、前記本体部材に対して前記扉部材を、開閉軸を基準に開閉自在とする開閉機構部とを備えた遊技機において、
前記開閉機構部は、前記扉部材に設けられた第１部材と、前記本体部材に設けられた第２部材とを備え、前記第１部材または前記第２部材の一方に設けられた嵌合孔に、前記第１部材または前記第２部材の他方に設けられた嵌合部を回動自在に嵌合させることで前記開閉軸を構成するものであり、
前記開閉機構部は、前記扉部材の正面視で当該扉部材の一辺側に設けられ、
前記扉部材は、その一辺側を前記開閉軸として前記本体部材に対して片開き自在であり、
前記扉部材は、その正面視で前記一辺側と対辺する他辺側に、前記本体部材と係止する係止部を備え、
前記開閉機構部は、さらに、前記扉部材を前記本体部材に対して閉じる際の当該扉部材の運動エネルギーを、弾性部材を弾性変形させることで吸収する緩衝手段を備え、
前記緩衝手段は、前記扉部材を前記本体部材に対して閉じる際の当該扉部材の前記係止部が前記本体部材に当たるよりも前に前記弾性部材の弾性変形が開始するように当該弾性部材を備えている
ことを特徴とする遊技機。
前記（０）に記載の発明によれば、扉部材を本体部材に対して開閉軸を基準に開閉自在とする開閉機構部は、扉部材に設けられた第１部材と、本体部材に設けられた第２部材とを備え、第１部材または第２部材の一方に設けられた嵌合孔に、第１部材または第２部材の他方に設けられた嵌合部を回動自在に嵌合させることで開閉軸を構成するものである。開閉機構部に備えられた緩衝手段は、扉部材を本体部材に対して閉じる際の当該扉部材の運動エネルギーを、弾性部材を弾性変形させることで吸収する。したがって、扉部材を閉じる際の衝撃力を減らすことができ、扉部材を閉じる際の衝撃力によって扉部材や筐体が損傷することを低減できる。
さらに、開閉機構部は、扉部材の正面視でその一辺側に設けられおり、扉部材は、その一辺側を開閉軸として本体部材に対して片開き自在となっている。また、扉部材の正面視でその一辺側と対辺する他辺側には、本体部材と係止する係止部を備えている。緩衝手段は、扉部材を本体部材に対して閉じる際の当該扉部材の係止部が本体部材に当たるよりも前に弾性部材の弾性変形が開始するように当該弾性部材を備えている。したがって、扉部材の係止部が本体部材に当たるよりも前に、扉部材を閉じる際の運動エネルギーの吸収を開始させることができる。つまり、扉部材の係止部が本体部材に当たるよりも前に弾性部材を効かすことができる。扉部材を閉じる際の衝撃力によって扉部材や筐体が損傷することを低減できる。また、扉部材の係止部が勢いよく本体部材に当たると、その係止部等が変形や損傷などし、鍵としての機能が失われるので、そのようなことを保護でき、係止部の寿命を延ばすことができる。
また、扉部材を閉じる際の衝撃力に対して緩衝手段での弾性部材の弾性力で抵抗する（抵抗力）ことで、その衝撃力が緩和できるのみならず、係止部が本体部材に係止されていない場合には、緩衝手段での弾性部材の反発力（抵抗力）により扉部材を開放する方向に作用させることができ、扉部材の非係止状態を目立たせることができ、扉部材の半係り状態などの非係止状態を発見し易くできる。
また、扉部材を開く際、扉部材の係止部が本体部材から外れることで、弾性部材の反発力によりある程度まで自動的に開く構造とすることができる。
なお本明細書中で言う「前記扉部材を前記本体部材に対して閉じる際の当該扉部材の前記係止部が前記本体部材に当たるよりも前に前記弾性部材の弾性変形が開始する」とは、弾性部材が一切弾性変形していない状態から弾性変形が開始することや、弾性部材が既に一の弾性変形状態になっており、その弾性変形状態からさらに弾性変形が開始される（進む）ことを含む。
（１）  前記（０）に記載の遊技機において、
前記緩衝手段は、前記第１部材または前記第２部材の一方に前記弾性部材を設け、前記扉部材を閉じる際に前記第１部材または前記第２部材の他方が前記弾性部材に当接して当該弾性部材が弾性変形するように構成されている
ことを特徴とするものである。
【００１４】
前記（１）に記載の発明によれば、第１部材または第２部材の一方に設けられた弾性部材は、扉部材を閉じる際に、第１部材または第２部材の他方と当接して弾性変形する。したがって、扉部材を閉じる際の衝撃力を弾性部材が弾性変形することで減らすことができ、扉部材を閉じる際の衝撃力によって扉部材や筐体が損傷することを低減できる。また、係止部が本体部材に係止されていない場合には、緩衝手段での弾性部材の反発力（抵抗力）により扉部材を開放する方向に作用させることができ、扉部材の非係止状態を目立たせることができ、扉部材の半係り状態などの非係止状態を発見し易くできる。
【００１５】
（２）  前記（１）に記載の遊技機において、
前記扉部材は、その正面視で前記一辺側と対辺する他辺側に、その辺方向に沿って前記係止部が複数個設けられている
ことを特徴とするものである。
【００１６】
前記（２）に記載の発明によれば、扉部材は、その正面視で一辺側と対辺する他辺側に、その辺方向に沿って係止部が複数個設けられている。これらの係止部が本体部材に係止されていない場合には、緩衝手段での弾性部材の反発力（抵抗力）により扉部材を開放する方向に作用させることができ、扉部材のうちの一部の係止部しか本体部材にかかっていない状態（半係り状態）を目立たせることができ、扉部材の半係り状態などの非係止状態を発見し易くできる。
【００１７】
（３）  前記（１）または（２）に記載の遊技機において、
前記弾性部材は、ばね部材であり、
前記緩衝手段は、前記扉部材を前記本体部材に対して閉じる際の当該扉部材の運動エネルギーを、前記ばね部材の付勢力で抵抗することで吸収するものであり、
前記緩衝手段は、前記扉部材を前記本体部材に対して閉じる際の当該扉部材の前記係止部が前記本体部材に当たるよりも前に前記ばね部材の弾性変形が開始するように当該ばね部材を備えている
ことを特徴とするものである。
【００１８】
前記（３）に記載の発明によれば、緩衝手段は、扉部材を本体部材に対して閉じる際の当該扉部材の運動エネルギーを、ばね部材の付勢力で抵抗することで吸収する。したがって、扉部材を閉じる際の衝撃力を減らすことができ、扉部材を閉じる際の衝撃力によって扉部材や筐体が損傷することを低減できる。
【００１９】
さらに、緩衝手段は、扉部材を本体部材に対して閉じる際の当該扉部材の係止部が本体部材に当たるよりも前にばね部材の弾性変形が開始するように当該ばね部材を備えている。したがって、扉部材の係止部が本体部材に当たるよりも前に、扉部材を閉じる際の運動エネルギーの吸収を開始させることができる。つまり、扉部材の係止部が本体部材に当たるよりも前にばね部材を効かすことができる。扉部材を閉じる際の衝撃力によって扉部材や筐体が損傷することを低減できる。
【００２０】
また、扉部材を閉じる際の衝撃力に対して緩衝手段でのばね部材の付勢力で抵抗する（抵抗力）ことで、その衝撃力が緩和できるのみならず、係止部が本体部材に係止されていない場合には、緩衝手段でのばね部材の付勢力により扉部材を開放する方向に作用させることができ、扉部材の半係り状態などの非係止状態を目立たせることができ、扉部材の非係止状態を発見し易くできる。
【００２１】
（４）  前記（１）または（２）に記載の遊技機において、
前記ばね部材は、ねじりコイルばねであり、
前記ねじりコイルばねの一端側は、前記第１部材または前記第２部材の一方に固定される固定部とし、
前記ねじりコイルばねの他端側は、前記扉部材を閉じる際に、前記第１部材または前記第２部材の他方に当接する当接部としている
ことを特徴とする遊技機。
【００２２】
前記（４）に記載の発明によれば、ばね部材としてのねじりコイルばねは、その一端側を、第１部材または第２部材の一方に固定される固定部とし、その他端側を、扉部材を閉じる際に、第１部材または第２部材の他方に当接する当接部としている。したがって、ねじりコイルばねの当接部は、扉部材を閉じる際に、第１部材または第２部材の他方に当接し、ねじりコイルばねが弾性変形することで、扉部材を閉じる際の衝撃力を減らすことができ、扉部材を閉じる際の衝撃力によって扉部材や筐体が損傷することを低減できる。
【００２３】
さらに、緩衝手段は、扉部材を本体部材に対して閉じる際の当該扉部材の係止部が本体部材に当たるよりも前にねじりコイルばねの弾性変形が開始するように当該ねじりコイルばねを備えている。したがって、扉部材の係止部が本体部材に当たるよりも前に、扉部材を閉じる際の運動エネルギーの吸収を開始させることができる。つまり、扉部材の係止部が本体部材に当たるよりも前にねじりコイルばねを効かすことができる。扉部材を閉じる際の衝撃力によって扉部材や筐体が損傷することを低減できる。
【００２４】
また、扉部材を閉じる際の衝撃力に対して緩衝手段でのねじりコイルばねの付勢力で抵抗する（抵抗力）ことで、その衝撃力が緩和できるのみならず、係止部が本体部材に係止されていない場合には、緩衝手段でのねじりコイルばねの付勢力により扉部材を開放する方向に作用させることができ、扉部材の半係り状態などの非係止状態を目立たせることができ、扉部材の非係止状態を発見し易くできる。
【００２５】
（５）  前記（１）または（２）に記載の遊技機において、
前記ばね部材は、コイル中心線方向に間隔を空けて並べられた２個のねじりコイルばねと、前記２個のねじりコイルばねの両対向側を連結あるいは近設させた第１部位と、前記２個のねじりコイルばねの両他端側を連結あるいは近設させた第２部位とを備え、コイル中心線方向視で前記第１部位と前記第２部位とのなす角度が所定角度とした連結ねじりコイルばねであり、
前記第１部位または前記第２部位の一方は、前記第１部材または前記第２部材の一方に固定され、
前記第１部位または前記第２部位の他方は、前記扉部材を閉じる際に前記第１部材または前記第２部材の他方に当接する
ことを特徴とする遊技機。
【００２６】
前記（５）に記載の発明によれば、ばね部材は、コイル中心線方向に間隔を空けて並べられた２個のねじりコイルばねと、この２個のねじりコイルばねの両対向側を連結あるいは近設させた第１部位と、２個のねじりコイルばねの両他端側を連結あるいは近設させた第２部位とを備え、コイル中心線方向視で第１部位と第２部位とのなす角度が所定角度とした連結ねじりコイルばねとしている。連結ねじりコイルばねの第１部位または第２部位の一方は、第１部材または第２部材の一方に固定されている。連結ねじりコイルばねの第１部位または第２部位の他方は、扉部材を閉じる際に第１部材または第２部材の他方に当接し、連結ねじりコイルばねが弾性変形することで、扉部材を閉じる際の衝撃力を減らすことができ、扉部材を閉じる際の衝撃力によって扉部材や筐体が損傷することを低減できる。
【００２７】
さらに、緩衝手段は、扉部材を本体部材に対して閉じる際の当該扉部材の係止部が本体部材に当たるよりも前に連結ねじりコイルばねの弾性変形が開始するように当該連結ねじりコイルばねを備えている。したがって、扉部材の係止部が本体部材に当たるよりも前に、扉部材を閉じる際の運動エネルギーの吸収を開始させることができる。つまり、扉部材の係止部が本体部材に当たるよりも前に連結ねじりコイルばねを効かすことができる。扉部材を閉じる際の衝撃力によって扉部材や筐体が損傷することを低減できる。
【００２８】
また、扉部材を閉じる際の衝撃力に対して緩衝手段での連結ねじりコイルばねの付勢力で抵抗する（抵抗力）ことで、その衝撃力が緩和できるのみならず、係止部が本体部材に係止されていない場合には、緩衝手段での連結ねじりコイルばねの付勢力により扉部材を開放する方向に作用させることができ、扉部材の半係り状態などの非係止状態を目立たせることができ、扉部材の非係止状態を発見し易くできる。
【００２９】
（６）  前記（１）から（５）のいずれか一つに記載の遊技機において、
前記緩衝手段は、前記扉部材の前記一辺側に、その辺方向に沿って複数個設けられている
ことを特徴とする遊技機。
【００３０】
前記（６）に記載の発明によれば、緩衝手段は、扉部材の一辺側に、その辺方向に沿って複数個設けられているので、扉部材を閉じる際の運動エネルギーをこれらの緩衝手段で分担して吸収することができる。また、係止部が本体部材に係止されていない場合には、緩衝手段での弾性部材の反発力（抵抗力）により扉部材を開放する方向に作用させることができ、扉部材の半係り状態などの非係止状態を目立たせることができ、扉部材の非係止状態を発見し易くできる。
【００３１】
（７）  前記（１）から（５）のいずれか一つに記載の遊技機において、
前記開閉軸は、前記扉部材の前記一辺側でその両端のそれぞれに設けられ、
前記緩衝手段は、一方の前記開閉軸と他方の前記開閉軸との間で、前記開閉軸の近傍箇所のそれぞれに配設されている
ことを特徴とする遊技機。
【００３２】
前記（７）に記載の発明によれば、開閉軸は、扉部材の一辺側でその両端のそれぞれに設けられ、緩衝手段は、一方の開閉軸と他方の開閉軸との間で、開閉軸の近傍箇所のそれぞれに配設されているので、緩衝手段での緩衝力を発揮する際に、扉部材の一辺側の両端側が反ってしまうことを低減でき、その緩衝力を弱めることなく活用できる。例えば、これに対して、扉部材の一辺側の略中央箇所に２個の開閉軸が設けられ、その両開閉軸の外側に２個の緩衝手段が位置するような構成の場合には、緩衝手段での緩衝力を発揮する際に、扉部材の一辺側の両端側が反ってしまい、緩衝手段での緩衝力が外側に逃がし易く弱まってしまうことからも、当該発明が優れている点がわかる。
【００３３】
（８）  前記（７）に記載の遊技機において、
前記２個の緩衝手段の間に、さらに前記緩衝手段を備えている
ことを特徴とする遊技機。
【００３４】
前記（８）に記載の発明によれば、扉部材の一辺側上で両開閉軸の内側に２個の緩衝手段を位置するのみならず、２個の緩衝手段の間にも緩衝手段を備えているので、扉部材を閉じる際の衝撃力を扉部材の一辺側で満遍なく吸収することができる。
【００３５】
（９）  前記（１）から（８）のいずれか一つに記載の遊技機において、
前記開閉機構部は、前記扉部材の正面視で当該扉部材の縦方向の一辺側に設けられ、
前記開閉軸は、前記扉部材および前記本体部材を側面視した状態において、その軸方向の下端側に比べて上端側が前記本体部材の方へ傾斜している
ことを特徴とする遊技機。
【００３６】
前記（９）に記載の発明によれば、開閉機構部は、扉部材の正面視で当該扉部材の縦方向の一辺側に設けられている。開閉軸は、扉部材および本体部材を側面視した状態において、その軸方向の下端側に比べて上端側が本体部材の方へ傾斜している。つまり、開閉軸は、扉部材の重みで自然と閉じる側に勢いがつくように傾斜している。このように、扉部材がその自己の重みで自然と閉じる方向に勢いがついて閉まってしまうような構成において有効である。つまり、扉部材が閉じる際の運動エネルギーを吸収することができ、扉部材が閉まるときの衝撃力で、扉部材や本体部材が破損したりすることを低減できる。
【００３７】
（１０）  前記（０）に記載の遊技機、または、前記（１）から（９）のいずれか一つに記載の遊技機において、
前記遊技機はパチンコ機であることを特徴とする遊技機。
【００３８】
前記（１０）に記載の遊技機によれば、扉部材を閉じる際の衝撃力によって扉部材や筐体が損傷することを低減でき、扉部材の非係止状態の発見が容易なパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００３９】
（１１）  前記（０）に記載の遊技機、または、前記（１）から（９）のいずれか一つに記載の遊技機において、
前記遊技機はスロットマシンであることを特徴とする遊技機。
【００４０】
前記（１１）に記載の遊技機によれば、扉部材を閉じる際の衝撃力によって扉部材や筐体が損傷することを低減でき、扉部材の非係止状態の発見が容易なスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００４１】
（１２）  前記（０）に記載の遊技機、または、前記（１）から（１３）のいずれか一つに記載の遊技機において、
前記遊技機はパチンコ機とスロットマシンとを融合させたものであることを特徴とする遊技機。
【００４２】
前記（１２）に記載の遊技機によれば、扉部材を閉じる際の衝撃力によって扉部材や筐体が損傷することを低減でき、扉部材の非係止状態の発見が容易な、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００４３】
【００４４】
以下、遊技機の一例としてスロットマシンの各種の実施の形態を、図面に基づいて詳細に説明する。なお、本発明を弾球遊技機の一種であるパチンコ遊技機（以下、単に「パチンコ機」という）、特に、第１種パチンコ遊技機や第３種パチンコ遊技機（権利物とも呼ばれる）、コイン遊技機等の他の遊技機に用いることは、当然に可能である。
【００４５】
図１は、実施例のスロットマシンの前面扉を閉じた状態の斜視図であり、図２は実施例のスロットマシンの前面扉を開いた状態の斜視図である。本実施例のスロットマシン１０は、図１，図２に示すように、前面扉１２がその左辺を回転軸Ｊ１として本体１１に回動可能に取り付けられ、前面扉１２を閉じた状態で施錠装置２０により前面扉１２と本体１１とを施錠可能である。
【００４６】
前面扉１２には、図１に示すように、遊技の進行に伴い点灯したり点滅したりする上部ランプ１３と、遊技の進行に伴い種々の効果音を鳴らしたり遊技者に遊技状態を報知したりするスピーカ１４，１４と、各種表示内容を表示する液晶ディスプレイ１５と、左回胴Ｌと中回胴Ｍと右回胴Ｒとをそれぞれ透視可能な遊技パネル３０と、略中段付近にて各種ボタン５１，５３〜５６，６１〜６３やスタートレバー５２やメダル投入口５７が設けられた操作部５０と、機種名や遊技に関わるキャラクタなどが表示された下段プレート１６と、メダル払出口１７から払い出された遊技用媒体としてのメダルを受けるメダル受け皿１８とが装着されている。
【００４７】
また、スロットマシン１０の内部には、図２に示すように、オンされるとスロットマシン１０の各部に電源を供給する電源スイッチ８１や、スロットマシン１０をリセットするときに操作するリセットスイッチ８２や、図示しない設定キーを挿入することにより、スロットマシン１０の設定状態を変更可能にする設定キー挿入孔８３などを備えている電源ボックス８５と、溢れるメダルの外部への誘導口８９を有し投入されたメダルを貯留する補助タンク８７とこの補助タンク８７内のメダルを払出用通路９２に通じる開口９３を介してメダル払出口１７へ払い出す払出装置８８とから構成されているホッパ８６や、ＣＰＵを中心とするマイクロコンピュータとして構成されており処理プログラムを記憶するＲＯＭや一時的にデータを記憶するＲＡＭや入出力処理回路がバスによって接続されている主制御装置７０や、ＣＰＵを中心とするマイクロコンピュータとして構成されており主制御装置７０からの出力信号による液晶ディスプレイ１５の表示内容の制御を行う表示用制御装置９４が装着されている。なお、上述した本体１１が本発明における本体部材に相当し、上述した前面扉１２が本発明における扉部材に相当する。
【００４８】
遊技パネル３０は、図１に示すように、左回胴Ｌ、中回胴Ｍ、右回胴Ｒの停止中または回転中の様子を外部に露出する露出窓３１Ｌ，３１Ｍ，３１Ｒを備え、露出窓３１Ｌの左側に配設された５つのベットランプ３２，３３，３３，３４，３４と、この露出窓３１Ｌ，３１Ｍ，３１Ｒの下側に配設されている、スロットマシン内部に貯留されている枚数を表示するものであるクレジット枚数表示部３５と、ビックボーナス時にあと何回ＪＡＣ（ジャック）インできるかとかＪＡＣゲーム時にあと何回ＪＡＣ図柄成立が残っているかといった回数を表示するものであるゲーム数表示部３６と、有効ライン上に同じ図柄が揃って入賞したときに払い出された枚数を表示するものである払出枚数表示部３７とを備えている。
【００４９】
操作部５０は、図１に示すように、前面扉１２の前面部に設けられたクレジットボタン５１と、スタートレバー５２と、左回胴用ストップボタン５３と、中回胴用ストップボタン５４と、右回胴用ストップボタン５５と、返却ボタン５６と、前面扉１２の水平段部に設けられたメダル投入口５７と、１枚ベットボタン６１と、２枚ベットボタン６２と、マックスベットボタン６３とを備えている。
【００５０】
スロットマシン１０は、図２に示すように、本体１１に対して前面扉１２を、開閉軸Ｊ１を基準に開閉自在（例えば片開き自在）とする開閉機構部材１００を備えている。開閉機構部材１００は、前面扉１２の正面視で当該前面扉１２の縦方向の一辺側（本実施例では左辺側）に設けられている。開閉軸Ｊ１は、図２に示すように、前面扉１２および本体１１を側面視した状態において、その軸方向の下端側に比べて上端側が本体１１の方へ傾斜している。
【００５１】
具体的には、開閉機構部材１００は、図２に示すように、前面扉１２を正面視した状態でのその左辺側（本体１１を正面視した状態ではその左辺側と言える）に、その辺方向（つまり左辺長さ方向）に沿って設けられている。つまり、開閉機構部材１００は、図２に示すように、前面扉１２の正面視で当該前面扉１２の一辺側（左辺側）に設けられ、前面扉１２は、その左辺側を開閉軸Ｊ１として本体１１に対して片開き自在となっている。
【００５２】
ここで、開閉機構部材１００の構造などについて図３〜図６を用いて以下に説明する。図３は、前面扉１２を本体１１に対して閉じた状態における開閉機構部材１００の右側面図である。図４は、前面扉１２を本体１１に対して閉じた状態における開閉機構部材１００の裏面図である。図５は前面扉１２のドア側部材１１０および本体１１の固定側部材１２０の右側面図である。図６は前面扉１２のドア側部材１１０および本体１１の固定側部材１２０の裏面図である。図７（ａ）〜（ｃ）は緩衝部材１３０の側面図、正面図および底面図である。図８（ａ）〜（ｃ）は連結ねじりコイルばね１４０の側面図、正面図および底面図である。図９（ａ）〜（ｃ）は取付部材１５０の側面図、正面図および底面図である。図１０（ａ）は前面扉１２を閉じる途中であって開閉機構部材１００の緩衝部材１３０が効いていない状態を示す要部平面図であり、図１０（ｂ）は前面扉１２を本体１１に完全に閉じた状態であって開閉機構部材１００の緩衝部材１３０が弾性変形している状態を示す要部平面図である。
【００５３】
開閉機構部材１００は、図３〜図６に示すように、前面扉１２に設けられたドア側部材１１０と、本体１１に設けられた固定側部材１２０とを備えている。また、前面扉１２に設けられたドア側部材１１０は固定側部材１２０に対して着脱自在となっている。また、開閉機構部材１００は、図５，図６に示すように、ドア側部材１１０に設けられた嵌合孔１１２に、固定側部材１２０に設けられた嵌合ピン１２２を回動自在に嵌合させることで前述した開閉軸Ｊ１（図２等参照）を構成するものである。つまり、開閉軸Ｊ１は、ドア側部材１１０の嵌合孔１１２に固定側部材１２０の嵌合ピン１２２を嵌入することで、ドア側部材１１０が固定側部材１２０に対して回動可能となる嵌合軸となっている。
【００５４】
固定側部材１２０は、図５に示すように、その所定箇所に形成された貫通孔１２４を介してネジ（図示省略）が挿入されて本体１１のネジ孔（図示省略）に締結されることで本体１１に固定されている。また、ドア側部材１１０は、図６に示すように、その所定箇所に形成された貫通孔１１４を介してネジ（図示省略）が挿入されて前面扉１２のネジ孔（図示省略）に締結されることで前面扉１２に固定されている。
【００５５】
また、ドア側部材１１０および固定側部材１２０は、本実施例では例えば金属製部材を採用しているが、剛性を確保できるのであれば樹脂製など他の材料、材質のものを採用してもよい。
【００５６】
また、前面扉１２は、図２に示すように、その正面視で右辺側に、本体１１と係止する係止爪１６０を２個備えている。
【００５７】
開閉機構部材１００は、さらに、図２に示すように、前面扉１２を本体１１に対して閉じる際の当該前面扉１２の運動エネルギーを、弾性部材としての連結ねじりコイルばね１４０を弾性変形させることで吸収する緩衝部材１３０を備えている。
【００５８】
緩衝部材１３０は、図５，図１０に示すように、連結ねじりコイルばね１４０が取付部材１５０によってドア側部材１１０に取り付けられ、前面扉１２を閉じる際に固定側部材１２０の当接部１２６が連結ねじりコイルばね１４０に当接して当該連結ねじりコイルばね１４０が弾性変形するように構成されている。
【００５９】
具体的には、連結ねじりコイルばね１４０は、図８に示すように、コイル中心線方向に間隔を空けて並べられた２個のねじりコイルばね１４２と、この２個のねじりコイルばね１４２の両対向側を近設させた第１部位１４４と、２個のねじりコイルばね１４２の両他端側を連結した第２部位１４６とを備え、図８（ｃ）に示すように、コイル中心線方向視で第１部位１４４と第２部位１４６とのなす角度が所定角度（任意の角度を採用し得るが、ここでは例えば５０°程度）としたものである。そして、第１部位１４４はドア側部材１１０に固定され、第２部位１４６は、前面扉１２を閉じる際に固定側部材１２０の当接部１２６に当接する。
【００６０】
なお、連結ねじりコイルばね１４０の第１部位１４４は、２個のねじりコイルばね１４２の両対向側を溶接などして連結させたものとしてもよい。また、連結ねじりコイルばね１４０の第２部位１４６は、２個のねじりコイルばね１４２の両他端側を近設させたものとしてもよい。
【００６１】
図７，図９に示すように、連結ねじりコイルばね１４０は、その第１部位１４４および第２部位１４６を除いて取付部材１５０の収納空間に収納された状態で、この取付部材１５０の固定用爪１５２をドア側部材１１０の開口部１１６に挿入して係止した状態とするとともに、取付部材１５０の取付孔１５４とこの取付孔１５４に対応するドア側部材１１０の固定孔１１８に固定具１５６を挿入し、先端部分をかしめる等することで、連結ねじりコイルばね１４０が取付部材１５０によってドア側部材１１０に取り付けられている。
【００６２】
なお本実施例では、連結ねじりコイルばね１４０は、ドア側部材１１０とは別体の取付部材１５０によってドア側部材１１０に取り付けられているが、ドア側部材１１０とは別体の取付部材１５０を用いるのではなく、連結ねじりコイルばね１４０をドア側部材１１０に一体に設けられた取付部に直接に取り付けるようにしてもよい。
【００６３】
開閉軸Ｊ１は、図２〜図４に示すように、前面扉１２の左辺側でその両端のそれぞれに設けられている。つまり、前面扉１２の左辺側でその上端の開閉軸Ｊ１は、ドア側部材１１０の上端の嵌合孔１１２に固定側部材１２０の上端の嵌合ピン１２２を嵌入することで、ドア側部材１１０が固定側部材１２０に対して回動可能となる嵌合軸となっている。これと同様に、前面扉１２の左辺側でその下端の開閉軸Ｊ１は、ドア側部材１１０の下端の嵌合孔１１２に固定側部材１２０の下端の嵌合ピン１２２を嵌入することで、ドア側部材１１０が固定側部材１２０に対して回動可能となる嵌合軸となっている。なお、上端および下端の開閉軸Ｊ１は同心軸となっている。
【００６４】
緩衝部材１３０は、図３，図４に示すように、上端の開閉軸Ｊ１と下端の開閉軸Ｊ１との間で、開閉軸Ｊ１の近傍箇所のそれぞれに配設されている。具体的には、上端の開閉軸Ｊ１の近傍下方箇所に上端側の緩衝部材１３０が配設されており、下端の開閉軸Ｊ１の近傍上方箇所に下端側の緩衝部材１３０が配設されている。つまり、緩衝部材１３０を開閉軸Ｊ１の近傍箇所に配設することで、ばね力でドア側部材１１０が逃げる方向にたわむことを低減でき、ばね力を強く設定できる。
【００６５】
さらに、図３〜図６に示すように、上述した２個の緩衝部材１３０の間に、さらに前述と同様な緩衝部材１３０を備えている。
【００６６】
つまり、合計すると、緩衝部材１３０は、前面扉１２および本体１１の一辺側（正面視で左辺側）に、その辺方向に沿って複数個（本実施例では３個）設けられている。
【００６７】
例えば、図１０（ａ）に示すように、前面扉１２が本体１１に対して最大開放された状態（開放角１２０°の状態）から開放角５０°となるまでは、緩衝部材１３０が効かない範囲（緩衝無効範囲）となっている。つまり、この範囲内では、連結ねじりコイルばね１４０の弾性変形が開始されないため、連結ねじりコイルばね１４０による運動エネルギーの吸収は行われない。
【００６８】
これに対して、図１０（ｂ）に示すように、開放角５０°から開放角０°までは緩衝有効範囲となっている。つまり、この範囲内では、連結ねじりコイルばね１４０の弾性変形が開始されているため、連結ねじりコイルばね１４０による運動エネルギーの吸収が行われる。正確に言えば、開放角５０°から開放角０°に至る行程で運動エネルギーの吸収が行われるのであって、その逆（開放角０°から開放角５０°に至る開き行程）での運動エネルギーの吸収は行われないし、むしろ連結ねじりコイルばね１４０の反発力により、前面扉１２が本体１１に対して開放させる力が働く。
【００６９】
さらに、緩衝部材１３０は、前面扉１２を本体１１に対して閉じる際の当該前面扉１２の係止爪１６０（図２参照）が本体１１に当たるよりも前に、連結ねじりコイルばね１４０の弾性変形が開始するようにこの連結ねじりコイルばね１４０を備えている。
【００７０】
つまり、開放角５０°から開放角０°までの間の所定角（例えば３０°）位置で、係止爪１６０が本体１１の対応する箇所に当接し、開放角０°となったときには、この係止爪１６０が本体１１の対応する箇所に完全に係止された状態となっている。
【００７１】
なお、上述した開閉機構部材１００が本発明における開閉機構部に相当し、上述したドア側部材１１０が本発明における第１部材に相当し、上述した固定側部材１２０が本発明における第２部材に相当し、上述した嵌合ピン１２２が本発明における嵌合部に相当し、上述した緩衝部材１３０が本発明における緩衝手段に相当し、上述した係止爪１６０が本発明における係止部に相当し、上述した連結ねじりコイルばね１４０が本発明における弾性部材に相当する。
【００７２】
ここで、前面扉１２の本体１１への取り付けと、前面扉１２の閉動作とについて説明する。
【００７３】
＜前面扉１２の本体１１への取り付け＞
開閉機構部材１００の上下２個の開閉軸Ｊ１に共通であるが、固定側部材１２０の嵌合ピン１２２にドア側部材１１０の嵌合孔１１２を嵌合させることで、図２に示すように前面扉１２を本体１１に取り付ける。
【００７４】
このように取り付けられた状態では、前面扉１２が閉時（０°）に対して最大に開いた状態（開放角１２０°）となっている。
【００７５】
＜前面扉１２の閉動作＞
前面扉１２を本体１１に対して閉じていく、つまり、前面扉１２が開放角１２０°から５０°に至るまでは緩衝部材１３０が本体１１の固定側部材１２０の当接部１２６に当たっておらず、緩衝部材１３０が効いていない（緩衝無効範囲）。そして、前面扉１２が開放角５０°から０°に至るまでは緩衝部材１３０の連結ねじりコイルばね１４０が本体１１の固定側部材１２０の当接部１２６に当接し、連結ねじりコイルばね１４０が弾性変形することから、緩衝部材１３０は効いた状態となっている（緩衝有効範囲）。なお、この緩衝有効範囲の途中で係止爪１６０が本体１１に当たるようになっていることは前述した通りである。
【００７６】
開閉機構部材１００の３個の緩衝部材１３０は、それぞれ同一の緩衝有効範囲となっている。つまり、これらの緩衝部材１３０も開放角５０°〜０°で緩衝が効く（弾性変形することによる運動エネルギーの吸収がされる）ようになっている。
【００７７】
なお、図１に示すように前面扉１２が本体１１に対して閉じられた状態、つまり開放角０°の状態では、前面扉１２の係止爪１６０が本体１１に適切に係止されており、前面扉１２が本体１１に正規に閉じられている。すなわち、半係り状態などの非係止状態ではなく、適正な係止状態となっている。
【００７８】
ここで仮に、前面扉１２の閉じ方が不十分であった場合、つまり、前面扉１２の２個の係止爪１６０のうちの一つが本体１１に係っていない状態や、２個の係止爪１６０の両方とも本体１１に係っていない状態であった場合について説明する。
【００７９】
前面扉１２の開放角５０°〜０°の範囲では、緩衝部材１３０の連結ねじりコイルばね１４０の弾性変形に抵抗する反発力が生じており、この反発力により前面扉１２を開く方向に力が働くため、前面扉１２の２個の係止爪１６０のうちの一つが本体１１に係っていない状態では、その係止されていない前面扉１２の箇所がその反発力によって本体１１から離された状態となるので、半係り状態を容易に発見できるし、２個の係止爪１６０の両方とも本体１１に係っていない状態では、その反発力によって前面扉１２が本体１１から完全に離された状態となる、つまり、開放角５０°程度に開いた状態となっているので、非係止状態を明確かつ容易に発見できる。
【００８０】
上述したように、本実施例１のパチンコ機１０によれば、本体１１と、この本体１１に対して開閉される前面扉１２と、本体１１に対して前面扉１２を、開閉軸Ｊ１を基準に開閉自在とする開閉機構部材１００とを備え、開閉機構部材１００は、前面扉１２に設けられたドア側部材１１０と、本体１１に設けられた固定側部材１２０とを備え、ドア側部材１１０に設けられた嵌合孔１１２に、固定側部材１２０に設けられた嵌合ピン１２２を回動自在に嵌合させることで開閉軸Ｊ１を構成するものであり、開閉機構部材１００は、さらに、前面扉１２を本体１１に対して閉じる際の当該前面扉１２の運動エネルギーを、連結ねじりコイルばね１４０を弾性変形させることで吸収する緩衝部材１３０を備えているので、前面扉１２を閉じる際の衝撃力を減らすことができ、前面扉１２を閉じる際の衝撃力によって前面扉１２や本体１１が損傷することを低減できる。
【００８１】
さらに、開閉機構部材１００は、前面扉１２の正面視でその一辺側に設けられおり、前面扉１２は、その一辺側を開閉軸Ｊ１として本体１１に対して片開き自在となっており、前面扉１２の正面視でその一辺側と対辺する他辺側には、本体１１と係止する係止爪１６０を備え、緩衝部材１３０は、前面扉１２を本体１１に対して閉じる際の当該前面扉１２の係止爪１６０が本体１１に当たるよりも前に連結ねじりコイルばね１４０の弾性変形が開始するように当該連結ねじりコイルばね１４０を備えているので、前面扉１２の係止爪１６０が本体１１に当たるよりも前に、前面扉１２を閉じる際の運動エネルギーの吸収を開始させることができる。つまり、前面扉１２の係止爪１６０が本体１１に当たるよりも前に連結ねじりコイルばね１４０を効かすことができる。前面扉１２を閉じる際の衝撃力によって前面扉１２や本体１１が損傷することを低減できる。
【００８２】
また、前面扉１２を閉じる際の衝撃力に対して緩衝部材１３０での連結ねじりコイルばね１４０の弾性力で抵抗する（抵抗力）ことで、その衝撃力が緩和できるのみならず、係止爪１６０が本体１１に係止されていない場合には、緩衝部材１３０での連結ねじりコイルばね１４０の反発力（抵抗力）により前面扉１２を開放する方向に作用させることができ、前面扉１２の非係止状態を目立たせることができ、前面扉１２の半係り状態などの非係止状態を発見し易くできる。
【００８３】
また、前面扉１２を開く際、前面扉１２の係止爪１６０が本体１１から外れることで、連結ねじりコイルばね１４０の反発力によりある程度まで自動的に開く構造とすることができる。
【００８４】
また、ドア側部材１１０に設けられた連結ねじりコイルばね１４０は、前面扉１２を閉じる際に、本体１１の固定側部材１２０の当接部１２６と当接して弾性変形するので、前面扉１２を閉じる際の衝撃力を連結ねじりコイルばね１４０が弾性変形することで減らすことができ、前面扉１２を閉じる際の衝撃力によって前面扉１２や本体１１が損傷することを低減できる。また、係止爪１６０が本体１１に係止されていない場合には、緩衝部材１３０での連結ねじりコイルばね１４０の反発力（抵抗力）により前面扉１２を開放する方向に作用させることができ、前面扉１２の非係止状態を目立たせることができ、前面扉１２の半係り状態などの非係止状態を発見し易くできる。
【００８５】
また、前面扉１２は、その正面視で一辺側と対辺する他辺側に、その辺方向に沿って係止爪１６０が複数個（実施例では２個）設けられ、これらの係止爪１６０が本体１１に係止されていない場合には、緩衝部材１３０での連結ねじりコイルばね１４０の反発力（抵抗力）により前面扉１２を開放する方向に作用させることができ、前面扉１２のうちの一部の係止爪１６０しか本体１１にかかっていない状態（半係り状態）を目立たせることができ、前面扉１２の半係り状態などの非係止状態を発見し易くできる。
【００８６】
また、緩衝部材１３０は、前面扉１２の一辺側に、その辺方向に沿って複数個（実施例では３個）設けられているので、前面扉１２を閉じる際の運動エネルギーをこれらの緩衝部材１３０で分担して吸収することができる。また、係止爪１６０が本体１１に係止されていない場合には、緩衝部材１３０での連結ねじりコイルばね１４０の反発力（抵抗力）により前面扉１２を開放する方向に作用させることができ、前面扉１２の半係り状態などの非係止状態を目立たせることができ、前面扉１２の非係止状態を発見し易くできる。
【００８７】
また、開閉軸Ｊ１は、前面扉１２の一辺側でその両端のそれぞれに設けられ、緩衝部材１３０は、一方の開閉軸Ｊ１と他方の開閉軸Ｊ１との間で、開閉軸Ｊ１の近傍箇所のそれぞれに配設されているので、緩衝部材１３０での緩衝力を発揮する際に、前面扉１２の一辺側の両端側が反ってしまうことを低減でき、その緩衝力を弱めることなく活用できる。例えば、これに対して、前面扉１２の一辺側の略中央箇所に２個の開閉軸Ｊ１が設けられ、その両開閉軸Ｊ１の外側に２個の緩衝部材１３０が位置するような構成の場合には、緩衝部材１３０での緩衝力を発揮する際に、前面扉１２の一辺側の両端側が反ってしまい、緩衝部材１３０での緩衝力が外側に逃がし易く弱まってしまうことからも、本実施例が優れていることがわかる。
【００８８】
また、前面扉１２の一辺側上で両開閉軸Ｊ１の内側に２個の緩衝部材１３０を位置するのみならず、２個の緩衝部材１３０の間にも緩衝部材１３０を備えているので、前面扉１２を閉じる際の衝撃力を前面扉１２の一辺側で満遍なく吸収することができる。
【００８９】
また、開閉機構部材１００は、前面扉１２の正面視で当該前面扉１２の縦方向の一辺側に設けられている。開閉軸Ｊ１は、前面扉１２および本体１１を側面視した状態において、その軸方向の下端側に比べて上端側が本体１１の方へ傾斜している。つまり、開閉軸Ｊ１は、前面扉１２の重みで自然と閉じる側に勢いがつくように傾斜している。このように、前面扉１２がその自己の重みで自然と閉じる方向に勢いがついて閉まってしまうような構成において有効である。つまり、前面扉１２が閉じる際の運動エネルギーを吸収することができ、前面扉１２が閉まるときの衝撃力で、前面扉１２や本体１１が破損したりすることを低減できる。
【００９０】
この発明は、上記実施形態に限られることはなく、下記のように変形実施することができる。
【００９１】
（１）上述した実施例では、緩衝部材１３０を３個としているが、１個または３個以外の複数個としてもよい。
【００９２】
（２）上述した実施例では、正面視で左辺側に開閉機構部材１００を設けているが、右辺側や上辺側や下辺側などに設けるようにしてもよい。
【００９３】
（３）上述した実施例では、ドア側部材１１０に嵌合孔１１２を設け、固定側部材１２０に嵌合ピン１２２（嵌合部）を設けているが、ドア側部材１１０に嵌合ピン１２２（嵌合部）を設け、固定側部材１２０に嵌合孔１１２を設けるようにしてもよい。
【００９４】
（４）上述した実施例では、緩衝部材１３０の弾性部材として連結ねじりコイルばね１４０を採用しているが、ねじりコイルばねを採用するようにしてもよい。連結ねじりコイルばね１４０ではなくねじりコイルばねを採用する構成としては以下のものが挙げられる。
【００９５】
ねじりコイルばねの一端側は、ドア側部材１１０（第１部材）または固定側部材１２０（第２部材）の一方に固定される固定部とし、このねじりコイルばねの他端側は、前面扉１２を閉じる際に、ドア側部材１１０（第１部材）または固定側部材１２０（第２部材）の他方に当接する当接部１２６とする構成が挙げられる。このような構成であっても前述の実施例と同様の効果を有する。
【００９６】
（５）上述した実施例では、緩衝部材１３０の弾性部材として連結ねじりコイルばね１４０を採用しているが、運動エネルギーを吸収できる板ばね等のばね部材を採用するようにしてもよい。連結ねじりコイルばね１４０ではなくばね部材を採用する構成としては以下のものが挙げられる。
【００９７】
緩衝部材１３０は、前面扉１２を本体１１に対して閉じる際の当該前面扉１２の運動エネルギーを、ばね部材の付勢力で抵抗することで吸収するものであり、緩衝部材１３０は、前面扉１２を本体１１に対して閉じる際の当該前面扉１２の係止爪１６０が本体１１に当たるよりも前にばね部材の弾性変形が開始するように当該ばね部材を備える構成が挙げられる。このような構成であっても前述の実施例と同様の効果を有する。
【００９８】
（６）上述した実施例では、前面扉１２は閉時（０°）に対して１２０°開いた状態（開放角１２０°）を最大開放角としているが、それ以外の角度を開放角とするものであってもよい。
【００９９】
（７）上述した実施例では、緩衝部材１３０はその緩衝有効範囲を５０°〜０°とするものを例示したが、それ以外の範囲（任意角度〜０°）とするものを採用してもよい。
【０１００】
（８）上述した実施例では、緩衝部材１３０はドア側部材１１０に設けられているが、固定側部材１２０に設けるようにしてもよい。
【０１０１】
（９）上述した実施例では、連結ねじりコイルばね１４０（弾性部材）は、元々、弾性変形していない状態であり、前面扉１２（扉部材）を本体１１（本体部材）に対して閉じる際の当該前面扉１２の係止爪１６０（係止部）が本体１１に当たるよりも前に、その弾性変形が開始するようにしているが、連結ねじりコイルばね１４０（弾性部材）が既に一の弾性変形状態になっており、その弾性変形状態からさらに弾性変形が開始される（進む）ようにしてもよい。
【０１０２】
（１０）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１０３】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１０４】
以上のように、この発明は、パチンコ機やスロットマシン等の遊技機に適している。
【図面の簡単な説明】
【０１０５】
【図１】実施例のスロットマシンの前面扉を閉じた状態の斜視図である。
【図２】実施例のスロットマシンの前面扉を開いた状態の斜視図である。
【図３】前面扉を本体に対して閉じた状態における開閉機構部材の右側面図である。
【図４】前面扉を本体に対して閉じた状態における開閉機構部材の裏面図である。
【図５】前面扉のドア側部材および本体の固定側部材の右側面図である。
【図６】前面扉のドア側部材および本体の固定側部材の裏面図である。
【図７】（ａ）〜（ｃ）は緩衝部材の側面図、正面図および底面図である。
【図８】（ａ）〜（ｃ）は連結ねじりコイルばねの側面図、正面図および底面図である。
【図９】（ａ）〜（ｃ）は取付部材の側面図、正面図および底面図である。
【図１０】（ａ）は前面扉を閉じる途中であって開閉機構部材の緩衝部材が効いていない状態を示す要部平面図であり、（ｂ）は前面扉を本体に完全に閉じた状態であって開閉機構部材の緩衝部材が弾性変形している状態を示す要部平面図である。
【符号の説明】
【０１０６】
１１  …本体（本体部材）
１２  …前面扉（扉部材）
１００  …開閉機構部材（開閉機構部）
１１０  …ドア側部材（第１部材）
１２０  …固定側部材（第２部材）
１３０  …緩衝部材（緩衝手段）
１４０  …連結ねじりコイルばね（弾性部材）
１６０  …係止爪（係止部）
【図１】
0005261886.tif 000002
【図２】
0005261886.tif 000003
【図３】
0005261886.tif 000004
【図４】
0005261886.tif 000005
【図５】
0005261886.tif 000006
【図６】
0005261886.tif 000007
【図７】
0005261886.tif 000008
【図８】
0005261886.tif 000009
【図９】
0005261886.tif 000010
【図１０】
0005261886.tif 000011